(57)【要約】【課題】ＣＤＭ伝送システムにおいて、パイロットチャネルを有効利用して伝送容量を増大する。【解決手段】固定パターンと第１付加データ列をシリアルに配列し、固定パターンと同一ビットのアダマール系列の中から１系列を選択して第２付加データ列を生成して固定パターンに加算することでパイロットチャネルを構成し、情報チャネルとＣＤＭ方式で多重伝送する。受信側では、パイロットチャネルの逆拡散復調出力を高速アダマール変換して固定パターンに加算されているアダマール系列を推定し、その位相・振幅判定を行うことで第２付加データ列を得る。パイロットチャネルの固定パターン部分をデータ伝送用に有効利用することができ、伝送容量を増大させることができる。【選択図】　　図３
2004112501.tif 000002
【特許請求の範囲】
【請求項１】
１フレームにｎ（ｎは２以上の自然数）ビットの固定パターンと第１付加データ列を配列してなるパイロットチャネルと情報データ列を配列してなる情報チャネルをＣＤＭ（符号分割多重）方式で多重伝送するＣＤＭ伝送システムにおいて、
２ｎ　個のアダマール系列からｎビットに対応する任意の系列を第２付加データ列として選択し、前記固定パターンの対応ビットに加算して前記パイロットチャネルを構成することを特徴とするＣＤＭ伝送システム。
【請求項２】
１フレームにｎ（ｎは２以上の自然数）ビットの固定パターンと第１付加データ列を配列してなるパイロットチャネルと情報データ列を配列してなる情報チャネルをＣＤＭ（符号分割多重）方式で多重伝送するＣＤＭ伝送システムに用いられ、
２ｎ　個のアダマール系列からｎビットに対応する任意の系列を第２付加データ系列として選択し、前記固定パターンの対応ビットに加算して前記パイロットチャネルを構成することを特徴とするＣＤＭ伝送システムのパイロットチャネル構成方法。
【請求項３】
請求項１記載のＣＤＭ伝送システムに用いられ、
前記ＣＤＭ方式で多重された伝送信号の受信出力と前記固定パターンとの相関をとって受信タイミングを検出するマッチドフィルタと、
前記受信タイミングに基づいて前記パイロットチャネル及び情報チャネルを逆拡散復調する逆拡散復調手段と、
前記パイロットチャネルの復調結果から前記固定パターンに加算されたアダマール系列を推定し、この推定結果から前記第２付加データ列を特定する第２付加データ列特定手段と、
前記固定パターン及び前記推定アダマール系列から受信位相推定を行う受信位相推定手段と、
前記受信位相推定結果に基づいて前記パイロットチャネルの復調結果から第１付加データ列を抽出する第１付加データ列抽出手段と、
前記受信位相推定結果に基づいて前記情報チャネルの復調結果から情報データ列を抽出する情報データ列抽出手段とを具備することを特徴とするＣＤＭ受信端末装置。
【請求項４】
前記第２付加データ列特定手段は、前記パイロットチャネルの復調結果を高速アダマール変換を施すことで前記アダマール系列を推定する高速アダマール変換手段を備えることを特徴とする請求項３記載のＣＤＭ受信端末装置。
【発明の詳細な説明】
【０００１】
【発明の属する技術分野】
本発明は、パイロットチャネルと情報チャネルをＣＤＭ（符号分割多重）方式で多重伝送するＣＤＭ伝送システムに関する。
【０００２】
【従来の技術】
現在、実用化が進められている移動体向けのＳバンド衛星デジタル放送システムでは、１チャネルのパイロットチャネルと複数チャネル（２９チャネルを予定）の情報チャネルをＣＤＭ方式で多重伝送する。パイロットチャネルは、受信タイミングを検出するための３２ビットの固定パターンと共に、３２ビットの付加データ列を配列することとしている。
ところで、この種の伝送システムでは、移動体向けのため、比較的伝送レートが低く、帯域を有効利用してできる限り伝送容量を確保することが要求される。
【０００３】
【発明が解決しようとする課題】
以上述べたように、特に移動体向けのような比較的伝送レートの低いＣＤＭ伝送システムでは、帯域を有効利用してできる限り伝送容量を確保することが要求される。
本発明は、上記の事情を考慮してなされたもので、パイロットチャネルを有効利用して伝送容量を増大することのできるＣＤＭ伝送システムと、これを実現するためのパイロットチャネル構成方法と、増大したデータを受信することが可能なＣＤＭ受信端末装置を提供することを目的とする。
【０００４】
【課題を解決するための手段】
上記目的を達成するために本発明に係るＣＤＭ伝送システムは、１フレームにｎ（ｎは２以上の自然数）ビットの固定パターンと第１付加データ列を配列してなるパイロットチャネルと情報データ列を配列してなる情報チャネルをＣＤＭ方式で多重伝送するシステムにおいて、２ｎ　個のアダマール系列からｎビットに対応する任意の系列を第２付加データ列として選択し、前記固定パターンの対応ビットに加算して前記パイロットチャネルを構成することを特徴とする。
【０００５】
このようなＣＤＭ伝送システムに用いるＣＤＭ受信端末装置としては、前記ＣＤＭ方式で多重された伝送信号の受信出力と前記固定パターンとの相関をとって受信タイミングを検出するマッチドフィルタと、前記受信タイミングに基づいて前記パイロットチャネル及び情報チャネルを逆拡散復調する逆拡散復調手段と、前記パイロットチャネルの復調結果を例えば高速アダマール変換して前記固定パターンに加算されたアダマール系列を推定し、この推定結果から前記第２付加データ列を特定する第２付加データ列特定手段と、前記固定パターン及び前記推定アダマール系列から受信位相推定を行う受信位相推定手段と、前記受信位相推定結果に基づいて前記パイロットチャネルの復調結果から第１付加データ列を抽出する第１付加データ列抽出手段と、前記受信位相推定結果に基づいて前記情報チャネルの復調結果から情報データ列を抽出する情報データ列抽出手段とを具備することを特徴とする。
上記構成によるＣＤＭ伝送システムによれば、従来の第１付加データ列及び情報データ列に加え、第２データ列を伝送することが可能となる。
【０００６】
【発明の実施の形態】
以下、図面を参照して本発明の実施の形態を詳細に説明する。
図１は本発明が適用されるＣＤＭ伝送システムの構成を示すもので、（ａ）はＣＤＭ送信装置、（ｂ）はＣＤＭ受信端末装置の構成を示している。
【０００７】
図１（ａ）に示すＣＤＭ送信装置において、パイロットチャネル生成部１１１は、固定パターン、第１付加データ列、第２付加データ列を多重したパイロットチャネルを生成するもので（詳細は後述する）、このチャネル出力は周波数拡散変調部１２１でパイロット用拡散符号に基づいて周波数拡散変調される。また、情報チャネル生成部１１２は番組コンテンツ等の情報データ列をマッピング処理するもので、このチャネル出力は周波数拡散変調部１２２で情報用拡散符号に基づいて周波数拡散変調される。各拡散変調出力は多重化部１３で周波数多重された後、無線部１４で無線周波数に変換され、アンテナ１５から送出される。
【０００８】
一方、図１（ｂ）に示すＣＤＭ受信端末装置において、アンテナ２１で受けたＣＤＭ伝送信号は無線部２２で選局され、マッチドフィルタ２３、第１及び第２の逆拡散復調部２４１、２４２に供給される。
マッチドフィルタ２３は、ＣＤＭ受信信号とパイロットチャネルに多重されている固定パターンとの相関をとって受信タイミングを検出し、さらに各チャネルの位相及び重みを検出するもので、受信タイミング検出結果は第１及び第２の逆拡散復調部２４１、２４２に供給され、重み・位相検出結果は合成部２５に供給される。
【０００９】
第１の逆拡散復調部２４１は、パイロット用拡散符号を用いて、マッチドフィルタ２３からの受信タイミングでＣＤＭ受信信号を逆拡散復調することでパイロットチャネルのデータ列を得るもので、ここで得られたデータ列は第１の位相補正重み付け処理部２６１に供給される。第２の逆拡散復調部２４２は、情報用拡散符号を用いて、マッチドフィルタ２３からの受信タイミングでＣＤＭ受信信号を逆拡散復調することで情報チャネルのデータ列を得るもので、ここで得られたデータ列は第２の位相補正重み付け処理部２６２に供給される。
【００１０】
また、第１の逆拡散復調部２４１で得られたパイロットチャネルのデータ列は高速アダマール変換部２７に供給される。この高速アダマール変換部２７は、入力データ列の固定パターン領域を高速アダマール変換することで、固定パターンに加算されているアダマール系列を推定するものである。この推定結果は位相・振幅判定部２８で位相・振幅判定され、データ部分は第２付加データ列として出力され、位相・振幅部分は位相・重み検出結果として合成部２５に送られて、マッチドフィルタ２３からの位相・重み検出結果と合成される。この合成結果は第１及び第２の位相補正重み付け処理部２６１、２６２に送られる。
【００１１】
第１の位相補正重み付け処理部２６１は、第１の逆拡散復調部２４１で得られたパイロットチャネルのデータ列に対し、合成部２５からの位相・重み検出結果に基づいて位相補正及び重み付けを行うことで、第１付加データ列を得る。また、第２の位相補正重み付け処理部２６２は、第２の逆拡散復調部２４２で得られた情報チャネルのデータ列に対し、合成部２５からの位相・重み検出結果に基づいて位相補正及び重み付けを行うことで、情報データ列を得る。
【００１２】
図２は本発明に係るパイロットチャネル構成方法によってパイロットチャネルを生成するパイロットチャネル生成部１１１の構成を示すもので、固定パターン生成部１１Ａは３２シンボルのオール“１”を固定パターンとして出力する。第１付加データ列生成部１１Ｂは、制御データ等の所定のデータ列を第１付加データ列として出力する。データ列選択部１１Ｃは、例えば２ビットで表されるアダマール系列［００］，［０１］，［１０］，［１１］の組を入力し、第２付加データ列に合わせて３２シンボル分のデータ列を生成する。
【００１３】
上記固定パターン生成部１１Ａ、第１付加データ生成部１１Ｂ及びデータ列選択部１１Ｃの各出力は、共に多重化処理部１１Ｄに供給される。この多重化処理部１１Ｄは、図３に示すように、固定パターンに第２付加データ列を加算し、第１付加データ列をシリアルに配列して１フレーム６４シンボルのパイロットチャネルデータを生成出力するものである。
【００１４】
上記構成において、以下に本発明の特徴となる点を説明する。
まず、送信側において、オール“１”の固定パターンと第１付加データ列をシリアルに配列してパイロットチャネルデータを生成する点は従来と同様である。ここでは、固定パターンに固定パターンと同一シンボル（同一ビット）速度のアダマール系列の中から１系列を選択して第２付加データ列を生成し、固定パターンに加算して伝送するようにした点に特徴がある。
【００１５】
具体的には、３２ビットの固定パターンに対し、３２ビットのアダマール系列を用いる場合には、ｌｏｇ２　３２＝５より、５ビットの情報が伝送可能である。第２付加データ列を２分割し、１６ビットのアダマール系列を用いる場合には、２×４ビットの情報が伝送可能である。第２付加データ列を４分割し、８ビットのアダマール系列を用いる場合には、４×３ビットの情報が伝送可能である。第２付加データ列を８分割し、４ビットのアダマール系列を用いる場合には、８×２ビットの情報が伝送可能である。第２付加データ列を１６分割し、２ビットのアダマール系列を用いる場合には、１６×１ビットの情報が伝送可能である。但し、分割数を大きくするほど、受信特性は劣化することに注意を要する。
尚、ｎビットの固定パターンに対しては、２ｎ　個のアダマール系列からｎビットに対応する任意の系列を第２付加データ列として選択する。
【００１６】
このような方法で第２付加データ列を多重したパイロットチャネルを情報チャネルとＣＤＭ多重して伝送した場合、ＣＤＭ受信端末装置としては、マッチドフィルタ２３にてＣＤＭ受信信号と固定パターンとの相関を求めることで受信タイミングを検出し、この受信タイミングに基づいてパイロットチャネルを逆拡散復調する。復調結果に高速アダマール変換を施すことにより送信側で選択されたアダマール系列を推定することができる。この推定アダマール系列の位相・振幅を判定することで、第２付加データ列を特定することができる。
【００１７】
また、位相・振幅判定により、パイロットチャネルの位相・重みを検出することができる。そこで、マッチドフィルタ２３で得られる位相・重み検出結果と位相・振幅判定により得られる位相・重み検出結果とを合成し、この合成出力に基づいてパイロットチャネル及び情報チャネルの復調出力の位相補正及び重み付けを行う。これにより、パイロットチャネルから第１付加データ列が得られ、情報チャネルの情報データ列が得られる。
したがって、上記構成によるＣＤＭ伝送システムによれば、パイロットチャネルの固定パターン部分をデータ伝送用に有効利用することができ、伝送容量を増大させることができる。
【００１８】
【発明の効果】
以上説明したように本発明によれば、パイロットチャネルを有効利用して伝送容量を増大することのできるＣＤＭ伝送システムと、これを実現するためのパイロットチャネル構成方法と、増大したデータを受信することが可能なＣＤＭ受信端末装置を提供することができる。
【図面の簡単な説明】
【図１】本発明に係る一実施形態として、ＣＤＭ伝送システムのＣＤＭ送信装置及びＣＤＭ受信端末装置の構成を示すブロック図。
【図２】上記実施形態のパイロットチャネル生成部の具体的な構成を示すブロック図。
【図３】図２に示すパイロットチャネル生成部によって生成されるパイロットチャネルのフォーマット構成を示す図。
【符号の説明】
１１１…パイロットチャネル生成部
１１２…情報チャネル生成部
１２１、１２２…周波数拡散変調部
１３…多重化部
１４…無線部
１５…送信アンテナ
２１…受信アンテナ
２２…無線部
２３…マッチドフィルタ
２４１，２４２…逆拡散復調部
２５…合成部
２６１，２６２…位置補正重み付け処理部
２７…高速アダマール変換部
２８…位相・振幅判定部
【図１】
2004112501.tif 000003
【図２】
2004112501.tif 000004
【図３】
2004112501.tif 000005